(57)【要約】【課題】透光カバーの内部を伝播する光に起因する光の映り込みを抑制できるカメラ付きドアホン子器を提供することにある。【解決手段】カメラ付きドアホン子器は、撮像素子１０を有し所定の撮像範囲を撮像する撮像部１と、撮像部１の側方に配置され前記撮像範囲に光を照射する照明部２と、撮像部１および照明部２を前方に臨ませる窓孔４０を有し撮像部１および照明部２が収納された筐体３と、窓孔４０を閉塞する形で筐体３に取り付けられた透光カバー６とを備え、透光カバー６は、撮像部１を覆う撮像用カバー部６０ａと、照明部２を覆う照明用カバー部６０ｂとを備え、撮像用カバー部６０ａと照明用カバー部６０ｂとの境界部６０ｃの前面側には、撮像用カバー部６０ａと照明用カバー部６０ｂとを仕切る溝部６２が形成されてなる。【選択図】図１
2008244626.tif 000002
【特許請求の範囲】
【請求項１】
撮像素子を有し所定の撮像範囲を撮像する撮像部と、撮像部の周辺部に配置され前記撮像範囲に光を照射する照明部と、撮像部および照明部を前方に臨ませる窓孔を有し撮像部および照明部が収納された筐体と、窓孔を閉塞する形で筐体に取り付けられた透光カバーとを備え、
透光カバーは、撮像部を覆う撮像用カバー部と、照明部を覆う照明用カバー部とを備え、撮像用カバー部と照明用カバー部との境界部の前面側には、撮像用カバー部と照明用カバー部とを仕切る溝部が形成されてなることを特徴とするカメラ付きドアホン子器。
【請求項２】
境界部は、撮像用カバー部および照明用カバー部の両方よりも厚みが厚く形成され、溝部の底面は、撮像用カバー部および照明用カバー部それぞれの後面よりも後方に位置していることを特徴とする請求項１記載のカメラ付きドアホン子器。
【発明の詳細な説明】
【技術分野】
【０００１】
本発明は、来訪者との通話などの用途に用いられるカメラ付きドアホン子器に関する。
【背景技術】
【０００２】
従来から、住宅内外間で通話を可能とするためのドアホンシステムが提供されている。ドアホンシステムは、住宅の屋内に設置されるドアホン親機と、玄関に設置されるドアホン子器とで構成される。ここでドアホン子器としては、来訪者などの姿を撮像するためのカメラを備えたカメラ付きドアホン子器が提案されている。
【０００３】
この種のカメラ付きドアホン子器は、撮像素子を有し所定の撮像範囲を撮像する撮像部と、撮像部の周辺部に配置され前記撮像範囲に光を照射する照明部と、撮像部および照明部を前方に臨ませる窓孔を有し撮像部および照明部が収納された筐体と、窓孔を閉塞する形で筐体に取り付けられた平板状の透光カバー（フィルタ）とを備えている。また、カメラ付きドアホン子器の筐体には、ドアホン親機を呼び出すための呼び出し装置や、ドアホン親機との間で通話を行うための通話装置などが収納される。
【０００４】
ここで、照明部は、夜間や暗所における光量不足を補うために設けられている。したがって、このような照明部を備えるカメラ付きドアホン子器によれば、夜間など撮像範囲の周辺光量が減った際でも、照明部を点灯して撮像範囲に光を照射することによって、明瞭な画像を得ることができる。
【０００５】
しかしながら、照明部から放射された光のなかには、透光カバーを透過せずに透光カバーで反射される光が存在する。そして、透光カバーで反射された光が撮像部の撮像素子に入射した際には、透光カバーで反射された光が画像に映り込んでしまい、光が映り込んだ部分では画像がつぶれ、正確な画像が得られなくなってしまうという問題があった。
【０００６】
そこで、撮像部と照明部との間に、照明部の光を遮光する隔壁を設けることによって、上述のような光の映り込みを防止したカメラ付きドアホン子器が提案されている（例えば、特許文献１参照）。
【特許文献１】特開昭６３−１２６３８２号公報
【発明の開示】
【発明が解決しようとする課題】
【０００７】
ところが、透光カバーは透光性材料により形成されているから、照明部から放射された光が、透光カバーを透過せずに透光カバーの内部を伝播して透光カバーにおいて照明部を覆う部位から撮像部を覆う部位に移動し、この後に透光カバーから外方に出射されて撮像部の撮像素子に入射してしまうおそれがあり、このような場合であっても、光の映り込みが生じてしまう。
【０００８】
つまり、照明部から放射された光のなかには、透光カバーを透過する光、透光カバーで反射される光の他に、透光カバーの内部を伝播する光も存在し、画像への光の映り込みは、透光カバーの内部を伝播した光によっても発生していた。
【０００９】
そして、透光カバーの内部を伝播する光は、上記の隔壁では遮光することができないため、従来のカメラ付きドアホン子器では、透光カバーで反射された光に起因する光の映り込みは抑制できるものの、透光カバーの内部を伝播する光に起因する光の映り込みは抑制できなかった。
【００１０】
本発明は上述の点に鑑みて為されたもので、その目的は、透光カバーの内部を伝播する光に起因する光の映り込みを抑制できるカメラ付きドアホン子器を提供することにある。
【課題を解決するための手段】
【００１１】
上述の課題を解決するために、請求項１の発明では、撮像素子を有する撮像部と、撮像部の周辺部に配置され当該撮像部の撮像範囲に光を照射する照明部と、撮像部および照明部を前方に臨ませる窓孔を有し撮像部および照明部が収納された筐体と、窓孔を閉塞する形で筐体に取り付けられた透光カバーとを備え、透光カバーは、撮像部を覆う撮像用カバー部と、照明部を覆う照明用カバー部とを備え、撮像用カバー部と照明用カバー部との境界部の前面側には、撮像用カバー部と照明用カバー部とを仕切る溝部が形成されてなることを特徴とする。
【００１２】
請求項１の発明によれば、撮像用カバー部と照明用カバー部との境界部の前面側に溝部を設けているので、照明部の光が透光カバーの内部を伝播したとしても、このような光が照明用カバー部側から撮像用カバー部側に到達し難くなり、照明部の光が透光カバーの内部を伝播して撮像部の撮像素子に入射することを抑制できるから、透光カバーの内部を伝播する光に起因する光の映り込みを抑制できる。
【００１３】
請求項２の発明では、請求項１の発明において、境界部は、撮像用カバー部および照明用カバー部の両方よりも厚みが厚く形成され、溝部の底面は、撮像用カバー部および照明用カバー部それぞれの後面よりも後方に位置していることを特徴とする。
【００１４】
請求項２の発明によれば、透光カバーの内部を伝播する光が照明用カバー部側から撮像用カバー部側に到達するためには、進行方向を大きく変えて溝部を迂回しなければならないから、光が照明用カバー部側から撮像用カバー部側に到達し難くなり、光の映り込みをさらに抑制できる。
【発明の効果】
【００１５】
本発明は、透光カバーの内部を伝播する光に起因する光の映り込みを抑制できるという効果を奏する。
【発明を実施するための最良の形態】
【００１６】
以下、図１〜図４を参照して本発明の一実施形態のカメラ付きドアホン子器について説明する。なお、以下の説明では、説明の簡略化のため、図１（ａ）における上方をカメラ付きドアホン子器の上方、図１（ａ）における下方をカメラ付きドアホン子器の下方、図１（ａ）における左方をカメラ付きドアホン子器の右方、図１（ａ）における右方をカメラ付きドアホン子器の左方、図１（ａ）における紙面手前方をカメラ付きドアホン子器の前方、図１（ａ）における紙面奥方をカメラ付きドアホン子器の後方とそれぞれ規定している。
【００１７】
本発明の一実施形態のカメラ付きドアホン子器は、例えば、住宅の玄関に設置されて来訪者（来客）の画像をドアホン親機に伝送するとともに来訪者と通話を行うために用いられるものであって、図１（ｂ），（ｄ）および図３に示すように、撮像素子１０を有し所定の撮像範囲を撮像する撮像部１と、撮像部１の側方に配置され前記撮像範囲に光を照射する照明部２と、撮像部１および照明部２を前方に臨ませる窓孔４０を有し撮像部１および照明部２が収納された筐体３と、窓孔４０を閉塞する形で筐体に取り付けられた透光カバー６とを備えている。
【００１８】
撮像部１は、図３に示すように、所定の撮像範囲の画像（来訪者の画像）を得るためのＣＣＤイメージセンサやＣＭＯＳイメージセンサなどの固体撮像素子からなる撮像素子１０と、撮像素子１０の前方（図１（ｂ）における上方）に配置され前記撮像範囲からの光を集光して撮像素子１０に入射させる広角レンズなどを備える集光レンズ部１１とで構成されている。
【００１９】
照明部２は、図３に示すように、前記撮像範囲に光を照射する赤外線ＬＥＤなどの暗視用光源部２０により構成されている。本実施形態では、照明部２は、左右方向に離間するとともに光軸が交差する形に配置された一対の暗視用光源部２０を２組備えている。
【００２０】
ところで、撮像部１の撮像素子１０および照明部２の暗視用光源部２０は、図１（ｂ）に示すように、プリント基板７に、照明部２が撮像部１の側方（図１（ｂ）中では右方）に位置する形で実装されている。
【００２１】
このプリント基板７には、撮像素子１０や暗視用光源部２０の動作制御を行う駆動制御回路（図示せず）の他、スピーカ（図示せず）や、ドアホン親機を呼び出すための呼び出し釦（図示せず）、来訪者の音声を取り込むための集音マイク（図示せず）などの駆動回路など、カメラ付きドアホン子器の機能を発揮するために必要な回路が設けられている。また、このようなプリント基板７には、外部電源の電源線や、ドアホン親機に画像を伝送するための信号線や、通話線などを接続する端子部（図示せず）が接続されており、端子部に外部電源の電源線などを接続することによって、撮像素子１０や、暗視用光源部２０などに電力が供給され、また、ドアホン親機との間の通信が可能となる。なお、このようなプリント基板７の構成は従来周知のものを採用できるから詳細な説明は省略する。
【００２２】
筐体３は、図３に示すように、筐体３の前面部となるボディ４と、後面部となるカバー５とで構成されており、これらボディ４およびカバー５は、いずれも絶縁性を有する樹脂材料を用いた樹脂成形品からなる。
【００２３】
ボディ４は、図１〜図３に示すように、後面が開口した直方体の箱状に形成され、前壁部の上端側には、窓孔４０が形成されている。窓孔４０は、ボディ４の幅方向（図１（ａ）における左右方向）に沿った方向を長手方向とする長方形状に形成されている。この窓孔４０内には、照明部２の光が透光カバー６で反射されて撮像部１に入射することがないように照明部２の光を遮光する遮光壁４１が設けられている。この遮光壁４１は、窓孔４０の短手方向における両内側面間を一体に連結する形で窓孔４０内に配置され、その結果、窓孔４０は、遮光壁４１により、撮像部１を前方に臨ませる撮像用窓部４０ａと、照明部２を前方に臨ませる照明用窓部４０ｂとに仕切られている。また、遮光壁４１の前面側には、透光カバー６を位置決めするための嵌合凹部４１ａが形成されている。
【００２４】
ボディ４の前壁部における窓孔４０の開口縁部には、透光カバー６が嵌り込む嵌合凹部４２が全周に亘る形で形成されている。さらに、ボディ４の前壁部における窓孔４０の撮像用窓部４０ａ側の縁部には、透光カバー６を位置決めする位置決め片４３が一体に突設されている。
【００２５】
ところで、筐体３には、撮像部１および照明部２の他に、上述したスピーカと、呼び出し釦と、集音マイクとが収納される。そのため、ボディ４の前壁部の中央右側には、スピーカで発生された音波を送波するための音孔４４ａが複数形成されている。この音孔４４ａは、ボディ４の上下方向（図１における上下方向）に沿った方向を長手方向とする複数の長溝部４４の幅方向内側面に設けられている。加えて、ボディ４の前壁部の左下側には、呼び出し釦を操作するための操作部８が前後方向に進退自在に配置される矩形状の釦孔４５が形成されている。さらに、ボディ４の右下側には、集音マイクで音波を受波するためのマイク孔４６が形成されている。
【００２６】
なお、ボディ４の前壁部の後面（裏面）中央部および左側には、カバー５をボディ４に取り付けるための取付ねじ（図示せず）が螺入されるねじ孔４７ａを備えたボス４７が複数突設されている。また、ボディ４の右内側面には、カバー５をボディ４に取り付ける際に利用される係止片４８が上下方向において離間する形で３つ形成されている。
【００２７】
カバー５は、図３に示すように、ボディ４の後面開口の全面を覆う程度の大きさの平板状に形成され、その中央左側には、上述の図示しない端子部を後方へ臨ませて外部電源の電源線などを接続可能とするための端子接続孔５０が上下方向に４つ列設されている。加えて、カバー５には、前記取付ねじが個別に挿通されるねじ挿通孔５１がボディ４のボス４７それぞれに対応して形成されている。したがって、カバー５は、ボディ４の係止片４８を後面に当接させる形でボディ４の後面開口内に配置され、ねじ挿通孔５１を挿通させた取付ねじをボディ４のボス４７のねじ孔４７ａそれぞれに螺着することにより、ボディ４に取り付けられる。
【００２８】
以上述べたボディ３およびカバー４により構成される筐体３には、窓孔４０の撮像用窓部４０ａから撮像部１を、照明用窓部４０ｂから照明部２をそれぞれ前方に臨ませるとともに、スピーカを音孔４４ａに、呼び出し釦を釦孔４５内に配置された操作部８に、集音マイクをマイク孔４６にそれぞれ対応させた形でプリント基板７が収納される。
【００２９】
透光カバー６は、筐体３より露出する撮像部１および照明部２を保護するために筐体３に取り付けられるものであり、透光性材料、例えばアクリル樹脂などの透光性を有する樹脂材料により形成された樹脂成形品からなる。
【００３０】
透光カバー６は、図４（ａ）〜（ｇ）に示すように、窓孔４０の開口サイズより大きいサイズの矩形板状に形成された前壁部６０と、前壁部６０の後面側の周縁部に全周に亘って突設され収納凹部４２と凹凸嵌合する周壁部６１とで構成され、前壁部６０は、図１（ｄ）に示すように、長手方向に沿った方向に直交する面内における断面形状が、前方に凸な弧状に形成されている。
【００３１】
この前壁部６０では、撮像用窓部４０ａを閉塞する部位が、撮像部１を覆う撮像用カバー部６０ａとなり、照明用窓部４０ｂを閉塞する部位が、照明部２を覆う照明用カバー部６０ｂとなる。そして、前壁部６０において撮像用カバー部６０ａと照明用カバー部６０ｂとの間の部分となる境界部６０ｃは、図４（ｅ）に示すように、撮像用カバー部６０ａおよび照明用カバー部６０ｂの両方よりも厚みより厚く形成されており、境界部６０ｃの前面側には、撮像用カバー部６０ａと照明用カバー部６０ｂとを仕切る溝部６２が形成されている。この溝部６２は、その底面Ｐ１が、撮像用カバー部６０ａおよび照明用カバー部６０ｂそれぞれの後面（すなわち前壁部６０の後面）Ｐ２よりも後方に位置するように、その深さ寸法が設定されている。
【００３２】
なお、前壁部６０の曲面形状は、撮像素子１０により得られる画像に歪みが生じないような形状に設計することが好ましい。また、照明用カバー部６０ｂには、可視光を遮断し赤外線を透過させる塗料を塗布して、外観上、暗視用光源部２０が見えないように隠して、カメラ付きドアホン子器の美観の向上を図るようにしてもよい。さらに、透光カバー６に所望の光透過特性を持たせることにより、フィルタとして利用するようにしてもよい。
【００３３】
上述した透光カバー６は、図１（ｂ）に示すように、周壁部６１をボディ４の収納凹部４２に凹凸嵌合させる形でボディ４に取り付けられる。このとき、境界部６０ｃの後面側は、遮光壁４１の嵌合凹部４１ａに凹凸嵌合される。また、周壁部６１は、位置決め片４３と収納凹部４２の内側面とで狭持される。このように透光カバー６が筐体３に取り付けた状態では、図１（ｂ）に示すように、窓孔４０の撮像用窓部４０ａが撮像用カバー部６０ａにより閉塞されるとともに、窓孔４０の照明用窓部４０ｂが照明用カバー部６０ｂにより閉塞される。
【００３４】
以上述べた本実施形態のカメラ付きドアホン子器によれば、図１（ｂ）に示すように、照明部２の光が透光カバー６で反射されて撮像部１に入射することがないように照明部２の光を遮光する遮光壁４１が設けられているから、透光カバー６で反射された光に起因する光の映り込みを防止できる。
【００３５】
その上、撮像用カバー部６０ａと照明用カバー部６０ｂとの境界部６０ｃの前面側に、撮像用カバー部６０ａと照明用カバー部６０ｂとを仕切る溝部６２を設けているので、照明部２の光が透光カバー６の内部を伝播したとしても、このような光が照明用カバー部６０ｂ側から撮像用カバー部６０ａ側に到達し難くなり、照明部２の光が透光カバー６の内部を伝播して撮像部１の撮像素子１０に入射することを抑制できるから、透光カバー６の内部を伝播する光に起因する光の映り込みも抑制できる。
【００３６】
また、本実施形態における透光カバー６では、溝部６２の底面Ｐ１が、撮像用カバー部６０ｂおよび照明用カバー部６０ｃそれぞれの後面Ｐ２よりも後方に位置しているので、透光カバー６の内部を伝播する光が照明用カバー部６０ｂ側から撮像用カバー部６０ａ側に到達するためには、進行方向を大きく変えて溝部６２を迂回しなければならないから、光が照明用カバー部６０ｂ側から撮像用カバー部６０ａ側に到達し難くなり、光の映り込みをさらに抑制できる。
【００３７】
なお、本発明のカメラ付きドアホン子器は、本実施形態に限定されるものではなく、本発明の効果を発揮できる範囲内での変更は可能である。例えば、本実施形態では、照明部２は、撮像部１の左方に配置されているが、これに限らず、撮像部１の周辺部に撮像部１を囲繞するように配置されていてもよいし、撮像部１の左右両側に配置されていてもよく、要は、照明部２により撮像範囲を照らすことができるように設けられていればよい。
【図面の簡単な説明】
【００３８】
【図１】本発明の一実施形態のカメラ付きドアホン子器を示し、（ａ）は前面図、（ｂ）は同図（ａ）のＡ−Ａ線矢視図、（ｃ）は下面図、（ｄ）は同図（ａ）のＢ−Ｂ線矢視図である。
【図２】同上におけるカメラ付きドアホン子器を示し、（ａ）は後面（背面）図、（ｂ）は側面図である。
【図３】同上におけるカメラ付きドアホン子器の分解斜視図である。
【図４】同上におけるカメラ付きドアホン子器の透光カバーを示し、（ａ）は前面図、（ｂ）は右面図、（ｃ）は左面図、（ｄ）は上面図、（ｅ）は同図（ａ）のＣ−Ｃ線矢視図、（ｆ）は下面図、（ｇ）は後面（背面）図である。
【符号の説明】
【００３９】
１    撮像部
１０  撮像素子
２    照明部
３    筐体
４０  窓孔
６    透光カバー
６０ａ  撮像用カバー部
６０ｂ  照明用カバー部
６０ｃ  境界部
６２    溝部
Ｐ１    底面
Ｐ２    後面
【図１】
2008244626.tif 000003
【図２】
2008244626.tif 000004
【図３】
2008244626.tif 000005
【図４】
2008244626.tif 000006